(57)【特許請求の範囲】
【請求項１】
第１及び第２の電池残量監視対象装置と電池残量監視装置とからなる電池残量監視システムであって、
前記電池残量監視装置が前記第２の電池残量監視対象装置から近距離無線通信により充電中との通知を受信した場合、前記電池残量監視装置が検出指令を近距離無線通信により前記第１の電池残量監視対象装置に出力し、この検出指令を受信した第１の電池残量監視対象装置が自己の検出した電池残量を検出電池残量として近距離無線通信により前記電池残量監視装置に出力し、この検出電池残量を受信した電池残量監視装置が前記受信した第１の電池残量監視対象装置の検出電池残量を前記電池残量監視装置の表示部に表示することを特徴とする電池残量監視システム。
【請求項２】
前記電池残量監視装置が前記第１の電池残量監視対象装置の検出電池残量を受信した場合に前記電池残量監視装置の検出した電池残量としての検出電池残量を前記電池残量監視装置の表示部に表示することを特徴とする請求項１に記載の電池残量監視システム。
【請求項３】
前記電池残量監視装置は自己の検出電池残量が前記電池残量監視装置に予め定められた閾値以下だった場合に前記電池残量監視装置に充電を促すメッセージを前記電池残量監視装置の表示部に表示することを特徴とする請求項１に記載の電池残量監視システム。
【請求項４】
前記第１又は第２の電池残量監視対象装置がモバイルバッテリ機器、携帯電話機、携帯情報端末、ゲーム機器、音楽再生機器、影像再生装置、カメラ機器、ナビゲーション機器のいずれかの携帯可能な電子機器であることを特徴とする請求項１の電池残量監視システム。
【請求項５】
第１及び第２の電池残量監視対象装置と電池残量監視装置とからなる電池残量監視システムの電池残量監視プログラムであって、
前記電池残量監視装置が前記第２の電池残量監視対象装置から近距離無線通信により充電中との通知を受信するステップと、
前記第２の電池残量監視対象装置から充電中との通知を受信した場合に前記電池残量監視装置が検出指令を近距離無線通信により前記第１の電池残量監視対象装置に出力するステップと、
前記電池残量監視装置が前記検出指令を受信した第１の電池残量監視対象装置から第１の電池残量監視対象装置の検出電池残量を近距離無線通信により受信するステップと、
前記検出電池残量を受信した前記電池残量監視装置が前記受信した第１の電池残量監視対象装置の検出電池残量を前記電池残量監視装置の表示部に表示するステップと
を備えたことを特徴とする電池残量監視プログラム。
【発明の詳細な説明】
【技術分野】
【０００１】
本発明は、電池残量監視システム、電池残量監視方法、電池残量監視対象装置、電池残量監視プログラムに関する。
【背景技術】
【０００２】
近年、複数の電子機器を持ち歩くケースが増大し、これらの電子機器の電源を確保し、電池切れを回避することに対するユーザーニーズが高まっている。
【０００３】
特許文献１には、モバイルルータ装置とモバイル機器とが互いに無線接続された状態において、モバイルルータ装置の電池部がモバイル機器に充電を行い、モバイルルータ装置が自己とモバイル機器の電池残量と通信接続状況とに基づいて電池残量を推測し、給電制御することが開示されている。特許文献２には、携帯電話機の電池残量や機能の消費電力に応じて充電を制御することが記載されている。特許文献３には、携帯電話機がユーザの就寝前状況の高いことを判定すると、携帯電話機が自分の電池残量を検知し、検知した電池残量が所定値以下の場合に通知することが記載されている。特許文献４には、電子機器がユーザのライフスタイルに応じて充電のタイミングやメール送信のタイミングを通知することが記載されている。
【０００４】
しかしながら、特許文献１乃至４では、特定の機器から他の機器の電池残量までユーザが認識することができないので、すべての機器についてまでの電池切れを回避することができないという欠点がある。また、複数のモバイル機器の電池残量を個別に確認する必要があり、不便である。
【先行技術文献】
【特許文献】
【０００５】
【特許文献１】特開２０１３−７４７８４号公報
【特許文献２】特開２００６−２３８６５３２号公報
【特許文献３】特許第５１３４６４５号公報
【特許文献４】特開２００９−２９０４４３号公報
【発明の概要】
【発明が解決しようとする課題】
【０００６】
本発明は、上記背景技術に鑑みてなされたものであり、特定の機器から他の機器の電池残量を認識可能にすることを目的とする。
【課題を解決するための手段】
【０００７】
本発明に係る電池残量監視システムは、第１及び第２の電池残量監視対象装置と電池残量監視装置とからなる電池残量監視システムであって、前記電池残量監視装置が前記第２の電池残量監視対象装置から近距離無線通信により充電中との通知を受信した場合、前記電池残量監視装置が検出指令を近距離無線通信により前記第１の電池残量監視対象装置に出力し、この検出指令を受信した第１の電池残量監視対象装置が自己の検出した電池残量を検出電池残量として近距離無線通信により前記電池残量監視装置に出力し、この検出電池残量を受信した電池残量監視装置が前記受信した第１の電池残量監視対象装置の検出電池残量を前記電池残量監視装置の表示部に表示することを特徴とする。
【００１０】
本発明に係る電池残量監視プログラムは、第１及び第２の電池残量監視対象装置と電池残量監視装置とからなる電池残量監視システムの電池残量監視プログラムであって、前記電池残量監視装置が前記第２の電池残量監視対象装置から近距離無線通信により充電中との通知を受信するステップと、前記第２の電池残量監視対象装置から充電中との通知を受信した場合に前記電池残量監視装置が検出指令を近距離無線通信により前記第１の電池残量監視対象装置に出力するステップと、前記電池残量監視装置が前記検出指令を受信した第１の電池残量監視対象装置から第１の電池残量監視対象装置の検出した電池残量を検出電池残量として近距離無線通信により受信するステップと、前記検出電池残量を受信した前記電池残量監視装置が前記受信した第１の電池残量監視対象装置の検出電池残量を前記電池残量監視装置の表示部に表示するステップとを備えたことを特徴とする。
【発明の効果】
【００１１】
本発明に係る電池残量監視システム又は電池残量監視プログラムは、電池残量監視装置の表示部が第２の電池残量監視対象装置の充電をきっかけとして第１の電池残量監視対象装置の検出電池残量を表示することにより、第２の電池残量監視対象装置の充電をきっかけとして第１の電池残量監視対象装置の検出電池残量が確認できる効果がある。本発明に係る電池残量監視システムにおいて、電池残量監視対象装置から受信した電池残量が電池残量監視装置に保存された閾値を基準に上記電池残量の表示部への表示と非表示とを行えば、電池残量監視対象装置の充電の必要さが把握しやくなる効果がある。
【図面の簡単な説明】
【００１２】
【図１】発明を実施するための形態１に係る電池残量監視システムを示す模式図。
【図２】Ａ図及びＢ図は発明を実施するための形態１に係る電池残量監視システムのフローチャート。
【図３】発明を実施するための形態２に係る電池残量監視システムを示す模式図。
【図４】Ａ図及びＢ図は発明を実施するための形態２に係る電池残量監視システムのフローチャート。
【図５】発明を実施するための形態３に係る電池残量監視システムを示す模式図。
【図６】発明を実施するための形態３に係る電池残量監視システムのフローチャート。
【図７】発明を実施するための形態４に係る電池残量監視システムを示す模式図。
【図８】Ａ図及びＢ図は発明を実施するための形態４に係る電池残量監視システムのフローチャート。
【図９】発明を実施するための形態５に係る電池残量監視システムを示す模式図。
【図１０】発明を実施するための形態５に係る電池残量監視システムのフローチャート。
【発明を実施するための形態】
【００１３】
図１を参照し、発明を実施するための形態１に係る電池残量監視システムの構成について説明する。電池残量監視システムは、近距離無線通信により少なくとも1つの電池残量監視対象装置２１の電池残量を電池残量監視装置１で監視する構成である。電池残量監視対象装置２１は、１個を図示したが、複数個でも適用可能である。
【００１４】
電池残量監視装置１及び電池残量監視対象装置２１は、携帯電話機、モバイルバッテリ機器、タブレット機器、ゲーム機、音楽プレイヤー、Bluetooth（登録商標）ヘッドセット、歩数計、心拍計等、携帯可能な電子機器により構成される。モバイルバッテリ機器は、携帯可能な充電器の総称である。タブレット機器は、データ通信端末機器の総称である。ゲーム機は、携帯可能なコンピューターゲーム機の総称である。音楽プレイヤーは、携帯して音楽を聴ける機器の総称である。Bluetooth（登録商標）ヘッドセットは、イヤホンとマイクを備えた音声入出力機器でBluetooth（登録商標）による近距離無線通信により機器本体と通信を行うヘッドセットの総称である。
【００１５】
電池残量監視装置１は、近距離通信部２と電池部３と表示部４と記憶部５と監視対象機器情報６と第１閾値７と第２閾値８と総量閾値９と定期検出情報１０と制御部１１と検出指令部１２と表示指令部１３と残量検出部１４と残量管理部１５とを備える。
【００１６】
近距離通信部２及び電池残量監視対象装置２１の近距離通信部２２は、Bluetooth（登録商標）、BluetoothLowEnergy、WiFi（登録商標）ZigBee、微弱無線、赤外等のいずれかの規格を指すがこれに限らない近距離無線通信を行うデバイスの総称である。BluetoothLowEnergyは、Bluetooth（登録商標）よりも低電力消費量のデバイスである。電池部３は、バッテリーにより構成され、電池残量監視装置１に搭載された電気部品に電力を供給するデバイスである。表示部４は、液晶ディスプレイ又は有機ＥＬディスプレイ等のディスプレイにより構成される。記憶部５は、電池残量監視装置１の動作に必要なデータを記憶するデバイスである。
【００１７】
監視対象機器情報６は、電池残量監視装置１が近距離無線通信を行うことが可能な電池残量監視対象装置２１を識別する情報であり、記憶部５に記憶されている。電池残量監視対象装置２１が複数個である場合は、監視対象機器情報６は電池残量監視対象装置２１毎に対応した情報が記憶される。
【００１８】
第１閾値７は、電池残量監視装置１への充電報知が必要であるかを判断する基準であり、記憶部５に記憶されている。第２閾値８は、電池残量監視対象装置２１への充電報知が必要であるかを判断する基準であり、記憶部５に記憶されている。電池残量監視対象装置２１が複数個である場合は、第２閾値８は電池残量監視対象装置２１毎に対応した閾値が記憶されている。
【００１９】
総量閾値９は、電池残量監視装置１又は電池残量監視対象装置２１のどちらかへの充電報知が必要かを判断する基準であり、記憶部５に記憶されている。例えば、電池残量監視装置１の電池残量と電池残量監視対象装置２１の電池残量とが第１閾値７又は第２閾値８としての残５％に到達しなくとも、電池残量監視装置１の電池残量と電池残量監視対象装置２１の電池残量との和が総量閾値９としての残１０％以下だったら、どちらかへの充電を促すというように、報知判断の基準を総残量に応じて変える等の利用が考えられる。
【００２０】
定期検出情報１０は、電池残量監視装置１が監視対象としての電池部２３の電池残量を定期的に検出する時機を表す情報であり、記憶部５に記憶されている。
【００２１】
制御部１１に設けられた検出指令部１２と表示指令部１３と残量検出部１４と残量管理部１５とは、制御部１１に設けられた図外のＣＰＵ部、ＲＯＭ部，ＲＡＭ部からなるコンピュータの動作で具現化される。検出指令部１２は、電池残量を検出するための指令を電池残量監視対象装置２１に行う機能部である。表示指令部１３は、検出結果としての電池残量を表示するための表示指令を表示部４に行なう機能部である。残量検出部１４は、電池部３の電池残量を検出する機能部である。残量管理部１５は、残量検出部１４で検出した電池残量と電池残量監視対象装置２１の電池残量とに対する管理処理を行う機能部である。
【００２２】
電池残量監視対象装置２１は、近距離通信部２２と電池部２３と記憶部２４と監視機器情報２５と定期検出情報２６と制御部２７と残量検出部２８とを備える。電池部２３は、バッテリーにより構成され、電池残量監視対象装置２１に搭載された電気部品に電力を供給するデバイスである。記憶部２４は、電池残量監視対象装置２１の動作に必要なデータを記憶するデバイスである。
【００２３】
監視機器情報２５は、電池残量監視対象装置２１が近距離無線通信を行うことが可能な電池残量監視装置１を識別する情報であり、記憶部５に記憶されている。定期検出情報２６は、電池残量監視対象装置２１が電池残量監視装置からの指令に基づく残量検出が行なわれてから前記電池残量監視装置との近距離無線通信の接続を切断するまでの間、電池部３の電池残量を定期的に検出する時機を表す情報であり、記憶部５に記憶されている。
【００２４】
制御部２７に設けられた残量検出部２８は、電池部２３の電池残量を検出する機能部であり、制御部２７に設けられた図外のＣＰＵ部、ＲＯＭ部，ＲＡＭ部からなるコンピュータの動作で具現化される。なお、記憶部５及び２４に記憶されている監視対象機器情報６、第１閾値７と第２閾値８と総合閾値９との値、定期検出情報１０及び２６、監視機器情報２５は、あらかじめ登録されていても良いし、ユーザによって登録されても良い。
【００２５】
次に、図１において、発明を実施するための形態１に係る電池残量監視システムの作用について説明する。制御部１１が電池部３から供給された電力で動作し、制御部２７が電池部２３から供給された電力で動作した状態において、制御部１１が記憶部５に記憶された定期検出時機であるか又は電池残量監視対象装置２１と近距離通信中であるかを判断し、定期検出時機である場合は制御部１１が近距離通信部２を記憶された監視対象機器情報６に対応する電池残量監視対象装置２１の近距離通信部２２に通信可能に接続する。
【００２６】
そして、近距離通信部２及び２２が互いに接続される若しくは電池残量監視対象装置２１と近距離通信中であると検出指令部１２が判断した場合は、検出指令部１２が監視対象機器情報６に対応する電池残量監視対象装置２１に検出指令を近距離無線通信により出力する。この検出指令を電池残量監視対象装置２１が受信すると、残量検出部２８が電池部２３の電池残量（以下、電池残量監視対象装置２１の検出電池残量という）を検出し、電池残量監視対象装置２１の検出電池残量を近距離無線通信により監視機器情報２５に対応する電池残量監視装置１に送信する。この電池残量監視対象装置２１の検出電池残量を電池残量監視装置１が受信すると、表示指令部１３が受信した電池残量監視対象装置２１の検出電池残量を記憶部５に記憶しかつ表示部４に表示指令を出力し、この表示指令に基づき記憶部５に記憶された電池残量監視対象装置２１の検出電池残量が表示部４に表示される。
【００２７】
以上のように、発明を実施するための形態１に係る電池残量監視システムによれば、制御部１１及び２７が電池部３及び２３から個別に供給された電力で動作した状態において、監視対象機器情報６及び監視機器情報２５に基づく近距離無線通信により電池残量監視対象装置２１の検出電池残量が電池残量監視装置１の表示部４に表示されるので、表示部４を可視した人が電池残量監視対象装置２１の検出電池残量を適切に把握することができる。
【００２８】
又、電池残量監視装置１の残量検出部１４が定期的に検出した電池部３の電池残量（以下、自己の電池残量という）を記憶部５に記憶しておき、電池残量監視装置１が残量検出部２８から近距離無線通信により送信された電池残量監視対象装置２１の検出電池残量を受信した場合において、表示指令部１３が表示部４に表示指令を出力することにより、自己の検出電池残量と電池残量監視対象装置２１の検出電池残量とが表示部４に表示される構成であれば、表示部４を可視した人が自己の検出電池残量と電池残量監視対象装置２１の検出電池残量とを適切に把握することができる。
【００２９】
又、電池残量監視対象装置２１の残量検出部２８が電池残量監視装置１からの検出指令に基づく残量検出が行なわれてから電池残量監視装置１との近距離無線通信の接続を切断するまでの間は記憶部２４の定期検出情報２６に基づき定期的に電池部２３の電池残量を検出して電池残量監視装置１に近距離無線通信により通知する構成であれば、電池残量監視装置１からの検出指令に基づく残量検出が行なわれてから電池残量監視装置１との近距離無線通信の接続を切断するまでの間における電池残量監視対象装置２１の検出電池残量の更新された電池残量及び／又は変化が表示部４に表示され、表示部４を可視した人が電池残量監視対象装置２１の検出電池残量を適切に把握することができる。
【００３０】
又、残量検出部２８が電池部２３の電池残量の検出と共に充電中か否かを判断し充電中の場合は電池残量と共に充電中である旨を電池残量監視装置１に近距離無線通信により通知する構成であれば、電池残量監視対象装置２１の検出電池残量と充電中とが表示部４に表示されるので、表示部４を可視した人が電池残量監視対象装置２１の検出電池残量の充電具合を適切に把握することができる。
【００３１】
又、電池残量監視装置１の残量検出部１４が定期的に検出した自己の電池残量を記憶部５に記憶しておき、電池残量監視装置１が残量検出部２８から近距離無線通信により送信された電池残量監視対象装置２１の検出電池残量を受信した場合において、残量管理部１５が自己の検出電池残量を第１閾値７と比較し、自己の検出電池残量が第１閾値７以下だった場合に、残量管理部１５が自己への充電を促す報知指示を表示指令部１３に出力し、表示指令部１３から表示部４に出力される表示指令に基づき電池残量監視装置１への充電を促すメッセージと電池残量監視対象装置２１の検出電池残量とが表示部４に表示される構成であれば、表示部４を可視した人が電池残量監視装置１に充電が必要なことを適切に把握することができる。
【００３２】
又、電池残量監視装置１が残量検出部２８から近距離無線通信により送信された電池残量監視対象装置２１の検出電池残量を受信した場合において、残量管理部１５が電池残量監視対象装置２１の検出電池残量を第２閾値８と比較し、電池残量監視対象装置２１の検出電池残量が第２閾値８以下だった場合に、残量管理部１５が電池残量監視対象装置２１への充電を促す報知指示を表示指令部１３に出力し、表示指令部１３から表示部４に出力される表示指令に基づき電池残量監視対象装置２１の検出電池残量と電池残量監視対象装置２１への充電を促すメッセージとが表示部４に表示される構成であれば、表示部４を可視した人が電池残量監視対象装置２１に充電が必要なことを適切に把握することができる。
【００３３】
尚、電池残量監視対象装置２１が複数個の場合には、残量管理部１５が電池残量監視対象装置２１の検出電池残量を受信した電池残量監視対象装置２１を表す監視対象機器情報６に対応する第２閾値８が記憶部５から抽出されて判断の基準として用いられる。
【００３４】
又、電池残量監視装置１の残量検出部１４が定期的に検出した自己の電池残量を記憶部５に記憶しておき、電池残量監視装置１が残量検出部２８から近距離無線通信により送信された電池残量監視対象装置２１の検出電池残量を受信した場合において、残量管理部１５が自己の検出電池残量と受信した電池残量監視対象装置２１の検出電池残量との和を求め、この求めた和を総量閾値９と比較し、求めた和が総量閾値９以下だった場合に、残量管理部１５が電池残量監視装置１と電池残量監視対象装置２１との双方又はどちらかへの充電を促す報知指示を表示指令部１３に出力し、表示指令部１３から表示部４に出力される表示指令に基づき自己の検出電池残量と電池残量監視装置１への充電を促すメッセージと電池残量監視対象装置２１の検出電池残量と電池残量監視対象装置２１への充電を促すメッセージとが表示部４に表示される構成にするなど、報知判断の基準を総残量に応じて変えることができる。
【００３５】
又、電池残量監視装置１が表示部４の他に音・光・バイブレーション等の部品を備えた構成である場合には、充電を促す方法としては、メッセージの表示の他、音・光・バイブレーションなどで通知する方法もある。
【００３６】
図２を参照し、発明を実施するための形態１に係る電池残量監視システムの処理について説明する。図２のＡ図において、電池残量監視装置１の残量管理部１５による充電管理を包含した場合の処理について説明する。電池残量監視装置１の処理が始まると、ステップ１０１において、電池残量監視装置１が近距離無線通信による通信中であるかが判断され、通信中である場合はステップ１０１がＹＥＳになりステップ１０４に進み、通信中でない場合はステップ１０１がＮＯになりステップ１０２に進む。ステップ１０２では、定期検出時機であるかが判断され、定期検出時機でない場合はステップ１０２がＮＯになり電池残量の監視処理を終わり、定期検出時機である場合はステップ１０２がＹＥＳになりステップ１０３に進む。
【００３７】
ステップ１０３では、電池残量監視装置１が図１の監視対象機器情報６に対応する電池残量監視対象装置２１と近距離無線通信で通信可能に接続され、ステップ１０４に進む。即ち、ステップ１０１乃至１０４の処理により、電池残量監視装置１は、通信中又は定期検出時機による通信接続後に、ステップ１０４において検出指令を近距離無線通信により監視対象機器情報６に対応する電池残量監視対象装置２１に送信する。その後、電池残量監視対象装置２１が検出電池残量を近距離無線通信により図１の監視機器情報２５に対応する電池残量監視装置１に送信する。そして、ステップ１０５において、電池残量監視装置１が電池残量監視対象装置２１の検出電池残量を受信し、ステップ１０６に進む。ステップ１０６では、電池残量の管理であるかが判断され、電池残量の管理である場合はステップ１０６がＹＥＳになりステップ１０７に進み、電池残量の管理でない場合はステップ１０６がＮＯになりステップ１０８に進む。
【００３８】
ステップ１０７では、電池残量に対する管理処理を行い、スッテプ１０８に進む。ステップ１０９では、表示処理を行う。即ち、図１の残量管理部１５による電池残量の管理が制御部１１に設定されていない場合は、図２のステップ１０７の管理処理を経由しないでステップ１０８の表示処理に移行し、ステップ１０８の表示処理の結果とし、図１の表示部４に電池残量監視対象装置２１の検出電池残量が表示される。これに対し、電池残量の管理が制御部１１に設定されていた場合は、図２のステップ１０７の管理処理を経由したステップ１０８の表示処理に移行し、その設定された電池残量の管理の内容に応じた表示態様が図１の表示部４に表示される。
【００３９】
図２のＢ図において、電池残量監視対象装置２１の処理について説明する。電池残量監視対象装置２１の処理が始まると、ステップ２０１において、電池残量監視対象装置２１が近距離無線通信による通信中であるかが判断され、通信中でない場合はステップ２０１がＮＯになり処理を終わり、通信中である場合はステップ２０１がＹＥＳになりステップ２０２に進む。ステップ２０２では、検出指令が入力されたが判断され、検出指令が入力されていない場合はステップ２０２がＮＯになりステップ２０２に戻り、検出指令が入力された場合はステップ２０２がＹＥＳになりステップ２０３に進む。ステップ２０３では、電池残量の検出を行い、ステップ２０４に進む。ステップ２０４では、検出電池残量を近距離無線通信により監視機器情報２５に対応する電池残量監視装置１に送信して処理を終わる。
【００４０】
図３を参照し、発明を実施するための形態２に係る電池残量監視システムの構成ついて説明する。図３において、電池残量監視装置１が別の電池残量監視対象装置４１からの充電中をきっかとして電池残量監視対象装置２１の検出電池残量を監視する構成である。
【００４１】
電池残量監視装置１としては、近距離通信部２、電池部３、表示部４、記憶部５、監視対象機器情報６、検出指令部１２、表示指令部１３を備えた構成を例示したが、更に、図１の第１閾値７、第２閾値８、総量閾値９、残量検出部１４、残量管理部１５を備えた構成でも適用可能である。
【００４２】
電池残量監視対象装置２１としては、近距離通信部２２、電池部２３、記憶部２４、監視機器情報２５、制御部２７、残量検出部２８を備えた構成を例示したが、更に、図１の定期検出情報２６を備えた構成でも適用可能である。電池残量監視対象装置２１は、１個を図示したが、複数個でも適用可能である。
【００４３】
別の電池残量監視対象装置４１としては、近距離通信部４２、電池部４３、記憶部４４、監視機器情報４５、制御部４６、充電検出部４７を備えた構成を例示したが、更に、図１の定期検出情報２６に相当する定期検出情報、残量検出部２８に相当する残量検出部を備えた構成でも適用可能である。制御部４６に設けられた充電検出部４７は、電池部４３への充電を検出する機能部であり、制御部２７に設けられた図外のＣＰＵ部、ＲＯＭ部，ＲＡＭ部からなるコンピュータの動作で具現化される。
【００４４】
次に、図３において、発明を実施するための形態２に係る電池残量監視システムの作用について説明する。制御部１１と２７及び４６が電池部３と２３及び４３から個別に供給された電力で動作した状態において、電池部４３が給電機器４８から充電を受けると、充電検出部４７が給電機器４８から電池部４３への充電を検出し、充電検出部４７が監視機器情報４５に対応する近距離通信部２と４２を互いに通信可能に接続した後に電池残量監視装置１に充電検出情報を近距離無線通信により送信する。
【００４５】
上記充電検出情報を受信した電池残量監視装置１では検出指令部１２が監視対象機器情報６に基づき近距離通信部２及び２２を互いに通信可能に接続した後に監視対象機器情報６に対応する電池残量監視対象装置２１に検出指令を近距離無線通信により出力する。この検出指令を電池残量監視対象装置２１が受信すると、残量検出部２８が電池残量監視対象装置２１の検出電池残量を近距離無線通信により監視機器情報２５に対応する電池残量監視装置１に送信する。この電池残量監視対象装置２１の検出電池残量を電池残量監視装置１が受信すると、表示指令部１３が受信した電池残量監視対象装置２１の検出電池残量を記憶部５に記憶しかつ表示部４に表示指令を出力し、この表示指令に基づき記憶部５に記憶された電池残量監視対象装置２１の検出電池残量が表示部４に表示される。
【００４６】
以上のように、発明を実施するための形態２に係る電池残量監視システムによれば、別の電池残量監視対象装置４１が給電機器４８から充電を受けた場合に監視機器情報４５に対応する電池残量監視装置１に充電検出情報を近距離無線通信により送信することにより、電池残量監視装置１と電池残量監視対象装置２１とが互いに近距離無線通信を行い、電池残量監視対象装置２１の検出電池残量が表示部４に表示される構成であるので、表示部４を可視した人が電池残量監視対象装置２１の検出電池残量を適切に把握し、別の電池残量監視対象装置４１の充電に続いて、電池残量監視対象装置２１の充電が必要か確認することができる。
【００４７】
図２では図示は省略したが、段落００２８に記載した自己の検出電池残量と電池残量監視対象装置２１の検出電池残量との並列表示の構成、段落００２９に記載した電池残量監視装置１からの検出指令に基づく残量検出が行なわれてから電池残量監視装置１との近距離無線通信の接続を切断するまでの間の定期的な電池残量検出の構成、段落００３０に記載した電池残量監視対象装置２１の検出電池残量と充電中との表示部４への並列表示の構成、段落００３１に記載した自己の検出電池残量が第１閾値７以下だった場合の構成、段落００３２に記載した電池残量監視対象装置２１の検出電池残量が第２閾値８以下だった場合の構成、段落００３３に記載した自己の検出電池残量と受信した検出電池残量との和が総量閾値９以下だった場合の構成のそれぞれも発明を実施するための形態２に適用可能である。
【００４８】
図４を参照し、発明を実施するための形態２に係る電池残量監視システムの処理について説明する。図４のＡ図において、電池残量監視装置１の処理が始まると、ステップ３０１において、電池残量監視装置１が近距離無線通信による充電通知を受信したかが判断され、充電通知を受信していない場合はステップ１０１がＮＯになり電池残量の監視処理を終わり、充電通知を受信した場合はステップ３０１がＹＥＳになりステップ３０２に進む。ステップ３０２では、電池残量監視装置１が図１の監視対象機器情報６に対応する電池残量監視対象装置２１と近距離無線通信で通信可能に接続され、ステップ３０３に進む。ステップ３０３では、監視対象機器情報６に対応する電池残量監視対象装置２１に検出指令を近距離無線通信により送信する。その後、ステップ３０４において、電池残量監視装置１が電池残量監視対象装置２１から検出電池残量を受信し、ステップ３０５に進む。ステップ３０５では、電池残量監視対象装置２１の検出電池残量が表示部４に表示される。
【００４９】
図４のＢ図において、別の電池残量監視対象装置４１の処理について説明する。別の電池残量監視対象装置４１の処理が始まると、ステップ４０１において、別の電池残量監視対象装置４１が充電中であるかが判断され、充電中でない場合はステップ４０１がＮＯになり処理を終わり、充電中である場合はステップ４０１がＹＥＳになりステップ４０２に進む。ステップ４０２では、監視機器情報４５に対応する電池残量監視装置１に充電通知を近距離無線通信により送信して処理を終わる。
【００５０】
尚、発明を実施するための形態２に係る電池残量監視システムにおける電池残量監視対象装置２１の処理は、発明を実施するための形態１に係る電池残量監視システムにおける電池残量監視対象装置２１の処理と同じであるので、図２のＢ図に示したフローチャートを参照して下さい。
【００５１】
図５を参照し、発明を実施するための形態３に係る電池残量監視システムの構成について説明する。電池残量監視装置１が給電機器５１から充電を受けていることをきっかけとして電池残量監視対象装置２１の検出電池残量を表示する構成である。
【００５２】
電池残量監視装置１としては、近距離通信部２、電池部３、表示部４、記憶部５、監視対象機器情報６、検出指令部１２、表示指令部１３、充電検出部１６を備えた構成を例示したが、更に、図１の第１閾値７、第２閾値８、総量閾値９、残量検出部１４、残量管理部１５を備えた構成でも適用可能である。
【００５３】
電池残量監視対象装置２１としては、近距離通信部２２、電池部２３、記憶部２４、監視機器情報２５、制御部２７、残量検出部２８を備えた構成を例示したが、更に、図１の定期検出情報２６を備えた構成でも適用可能である。電池残量監視対象装置２１は、１個を図示したが、複数個でも適用可能である。
【００５４】
給電機器５１は、ＡＣアダプタ５２、パソコン５３、モバイルバッテリ機器５４、車載コンセント５５のいずれかにより構成される。
【００５５】
次に、図５において、発明を実施するための形態３に係る電池残量監視システムの作用について説明する。電池部３が給電機器５１から充電を受けており、制御部１１及び２７が電池部３及び２３から個別に供給された電力で動作した状態において、充電検出部１６が給電機器５１から電池部３への充電を検出し、充電検出部１６が監視対象機器情報６に基づき近距離通信部２及び２２を互いに通信可能に接続した後、検出指令部１２が監視対象機器情報６に対応する電池残量監視対象装置２１に検出指令を近距離無線通信により送信する。
【００５６】
上記検出指令を電池残量監視対象装置２１が受信すると、残量検出部２８が検出した電池残量監視対象装置２１の検出電池残量を近距離無線通信により監視機器情報２５に対応する電池残量監視装置１に送信する。この電池残量監視対象装置２１の検出電池残量を電池残量監視装置１が受信すると、表示指令部１３が受信した電池残量監視対象装置２１の検出電池残量を記憶部５に記憶しかつ表示部４に表示指令を出力し、この表示指令に基づき記憶部５に記憶された電池残量監視対象装置２１の検出電池残量が表示部４に表示される。
【００５７】
以上のように、発明を実施するための形態３に係る電池残量監視システムによれば、電池残量監視装置１が給電機器５１から充電を受けた場合に、電池残量監視装置１と電池残量監視対象装置２１とが互いに近距離無線通信を行い、電池残量監視対象装置２１の検出電池残量が表示部４に表示される構成であるので、表示部４を可視した人が電池残量監視対象装置２１の検出電池残量を適切に把握することができる。
【００５８】
図６を参照し、発明を実施するための形態３に係る電池残量監視システムの処理について説明する。図６において、電池残量監視装置１の処理が始まると、ステップ５０１において、電池残量監視装置１が充電中であるかが判断され、充電中でない場合はステップ５０１がＮＯになり電池残量の監視処理を終わり、充電中である場合はステップ５０１がＹＥＳになりステップ５０２に進む。ステップ５０２では、電池残量監視装置１が図１の監視対象機器情報６に対応する電池残量監視対象装置２１と近距離無線通信で通信可能に接続され、ステップ５０３に進む。ステップ５０３では、監視対象機器情報６に対応する電池残量監視対象装置２１に検出指令を近距離無線通信により送信する。その後、ステップ５０４において、電池残量監視装置１が電池残量監視対象装置２１から検出電池残量を受信し、ステップ５０５に進む。ステップ５０５では、電池残量監視対象装置２１の検出電池残量が表示部４に表示される。
【００５９】
尚、発明を実施するための形態３に係る電池残量監視システムにおける電池残量監視対象装置２１の処理は、発明を実施するための形態１に係る電池残量監視システムにおける電池残量監視対象装置２１の処理と同じであるので、図２のＢ図に示したフローチャートを参照して下さい。
【００６０】
図７を参照し、発明を実施するための形態４に係る電池残量監視システムの構成について説明する。図７において、電池残量監視システムは、電池残量監視装置１と電池残量監視対象装置２１及び６１とＡＣ充電器７１とテーブルタップ器具８１と備える。
【００６１】
電池残量監視装置１が監視電池残量監視対象装置２１及び６１の充電を遠隔操作する構成であり、電池部３と表示部４と記憶部５と監視対象機器情報６と制御部１１と検出指令部１２と表示指令部１３と残量管理部１５と無線通信部１７と接続態様情報１８と充電停止値１９とを備える。無線通信部１７は、広域通信を行うデバイスである。接続態様情報１８は、ＡＣ充電器７１及びテーブルタップ器具８１の一方又は両方にどの電池残量監視対象装置２１又は６１が接続されているのかを示した情報であり、記憶部５にあらかじめ若しくはユーザが登録することにより記憶されている。充電停止値１９は、電池残量監視対象装置２１及び６１への充電を停止するかを判断する基準であり、記憶部５にあらかじめ若しくはユーザが登録することにより記憶されている。
【００６２】
電池残量監視対象装置２１は、電池部２３と残量検出部２８とを備える。電池残量監視対象装置６１は、電池部６３と残量検出部６８とを備える。電池残量監視対象装置２１及び６１は、１個ずつを図示したが、複数個ずつでも適用可能である。
【００６３】
ＡＣ充電器７１は、通信部７２と制御部７３とスイッチ部７４と電源接続部７５と差込口部７６とを備える。ＡＣ充電器７１の電源接続部７５が建物におけるコンセントのような商用電源部７７に接続される。ＡＣ充電器７１の制御部７３からの制御出力がスイッチ部７４に供給されていない状態では、スイッチ部７４がオン動作して電源接続部７５と差込口部７６とを繋ぐ回路を閉路した状態を維持し、制御部７３からの制御出力がスイッチ部７４に供給された状態では、スイッチ部７４がオフ動作して電源接続部７５と差込口部７６とを繋ぐ回路を開路した状態を維持する。よって、スイッチ部７４がオン動作し、ＡＣ充電器７１の電源接続部７５が商用電源部７７に接続された場合において、電池残量監視対象装置２１がＡＣ充電器７１の差込口部７６に接続されると、商用電源部７７から電源接続部７５とスイッチ部７４と差込口部７６とを経由して電池残量監視対象装置２１に充電される。通信部７２は、無線又は有線で広域通信を行うデバイスである。
【００６４】
広域通信網７８は、携帯電話網及びインターネット網により構成される。
【００６５】
テーブルタップ器具８１は、通信部８２と制御部８３と電源接続部８４と差込口部８５及び８６とスイッチ部８７及び８８とを備える。テーブルタップ器具８１の電源接続部８４が建物におけるコンセントのような商用電源部８９に接続される。制御部８３からの制御出力がスイッチ部８７又は８８に供給されていない状態では、スイッチ部８７又は８８がオン動作して電源接続部８４と差込口部８５又は８６とを繋ぐ回路を閉路した状態を維持し、制御部８３からの制御出力がスイッチ部８７又は８８に供給された状態では、スイッチ部８７又は８８がオフ動作して電源接続部８４と差込口部８５又は８６とを繋ぐ回路を開路した状態を維持する。通信部８２は、無線又は有線で広域通信を行うデバイスである。
【００６６】
例えば、スイッチ部８８がオン動作し、電源接続部８４が商用電源部８９に接続され、電池残量監視対象装置６１が差込口部８６に接続されると、商用電源部８９から電源接続部８４とスイッチ部８８と差込口部８６とを経由して電池残量監視対象装置６１に充電される。又、スイッチ部８７がオン動作し、電源接続部８４が商用電源部８９に接続され、テーブルタップ器具８１の差込口部８５に電池残量監視対象装置６１に相当する図外の電池残量監視対象装置が充電可能に接続されても適用可能である。
【００６７】
ＡＣ充電器７１及びテーブルタップ器具８１の一方又は両方にどの電池残量監視対象装置２１及び６１が接続されているのかを、電池残量監視装置１が知る方法について説明する。電池残量監視対象装置２１又は６１の電池部２３又は６３が、差込口部７６又は８５又は８６のいずれかに接続されると、充電が開始される。そして、電池残量監視対象装置２１又は６１は、充電のために接続された有線を通じて、ＵＳＢやＰＬＣ（高速電力線通信）などの通信方式を用いて、残量検出部２８又は６８で検出された検出電池残量と電池残量監視対象装置２１又は６１の種類、監視対象機器情報等の識別情報を接続先の制御部７３若しくは８３に通知する。通知を受けた制御部７３及び８３の一方又は両方は、差込口部７６又は８５又は８６毎にＩＤ管理をしており、差込口部７６又は８５又は８６毎のＩＤと共に接続された電池残量監視対象装置２１又は６１の種類と検出電池残量等の接続態様情報１８を電池残量監視装置１に通知し、電池残量監視装置１が記憶部５に接続態様情報１８を記憶する。
【００６８】
その他、電池残量監視装置１の監視対象機器情報６に、ＡＣ充電器７１若しくはテーブルタップ器具８１への接続情報を記憶しておき、無線通信部１７が広域通信網７８を経由して通信部７２及び８２の一方又は両方に通信を行うことにより、制御部７３及び８３の一方又は両方がそれぞれの差込口部７６と８５及び８６に電池残量監視対象装置２１及び６１の接続されていることをチェックするモードに移行する方法でも良い。これに伴い、制御部７３及び８３の一方又は両方は、差込口部７６と８５及び８６毎にＩＤ管理をしており、差込口部７６と８５及び８６毎に通電状態のモニタを開始して、モニタの結果としての接続態様情報１８を電池残量監視装置１に通信することにより、電池残量監視装置１が記憶部５に接続態様情報１８を記憶する。
【００６９】
上記のように記憶部５に電池残量監視対象装置２１及び６１毎の監視対象機器情報６と接続態様情報１８とが記憶され、制御部１１が電池部３から供給された電力で動作した状態において、ユーザが電池残量監視装置１にＡＣ充電器７１又はテーブルタップ機器８１に対する通信をするための操作を行うと、制御部１１が、監視対象機器情報６と接続態様情報１８とに基づき、広域通信網７８を経由して、無線通信部１７と通信部７２及び８２の一方又は両方とを互いに通信可能に接続する。
【００７０】
そして、広域通信網７８を経由して、電池残量監視装置１の無線通信部１７とＡＣ充電器７１及びテーブルタップ器具８１の一方又は両方とが互いに広域通信を行う。この広域通信に基づき無線通信部１７が差込口部８５と８６及び７６に接続された電池残量監視対象装置２１及び６１の残量検出部２８及び６８で検出した検出電池残量を通信部７２及び８２の一方又は両方から受信する。
【００７１】
そして、受信した電池残量監視対象装置２１及び６１の検出電池残量が充電停止値１９以上であるかを残量管理部１５が判断し、検出電池残量が充電停止値１９以上である場合は、その検出電池残量が充電停止値１９以上である判断された電池残量監視対象装置２１及び６１に対応するＡＣ充電器７１及びテーブルタップ器具８１の一方又は両方と電池残量監視装置１とが広域通信を行う。この広域通信により、制御部７３及び８３の一方又は両方は検出電池残量が充電停止値１９以上である電池残量監視対象装置２１及び６１に対するスイッチ部７４と８７及び８８に制御出力を送信する。これにより、検出電池残量が充電停止値１９以上である電池残量監視対象装置２１及び６１に対するスイッチ部７４と８７及び８８がオフ動作し、検出電池残量が充電停止値１９以上である電池残量監視対象装置２１及び６１への充電が停止する。
【００７２】
例えば、自宅にあるゲーム機やコードレス電話の子機等の電池残量監視対象装置２１及び６１の場合には、電池残量監視対象装置２１及び６１が差込口部７６と８５及び８６に充電可能に繋がれたままになっており、充電していなくてもＡＣ充電器７１やテーブルタップ器具８１が電力を消費している。
【００７３】
よって、以上のように、電池残量監視装置１が広域通信網７８を利用した遠隔操作により、電池残量が充電停止値１９以上である電池残量監視対象装置２１及び６１の一方又は両方への充電を停止することにより、充電が不要であれば、電源接続部７５と差込口部７６とを繋ぐ回路、電源接続部７５と差込口部８５及び８６の一方又は両方とを繋ぐ回路を遠隔操作で開路することで省電力化することができる。
【００７４】
尚、図７において、電池残量監視装置１に無線通信部１７と図１に示した近距離通信部２とを設け、電池残量監視対象装置２１及び６１に無線通信部１７に相当する無線通信部と図１に示した近距離通信部２に相当する近距離無線通信部とを設け、電池残量監視装置１と電池残量監視対象装置２１及び６１との間において広域通信又は近距離無線通信を行うことにより、電池残量監視装置１が電池残量監視対象装置２１及び６１の検出電池残量を監視するように構成しても同様に適用可能である。この場合、ＡＣ充電器７１及びテーブルタップ器具８１の一方又は両方から通信部７２及び８２、制御部７３及び８３、スイッチ部７４と８７及び８８を除去することも可能である。また、検出電池残量が充電停止値１９以上になると、電池残量監視装置１が電池残量監視対象装置２１及び６１にオフ指令を広域通信又は近距離無線通信により送信し、電池残量監視対象装置２１及び６１に設けられた図示しない充電停止制御部により、電池残量監視対象装置２１及び６１がＡＣ充電器７１及びテーブルタップ器具８１との接続を遮断するように構成しても良い。
【００７５】
また、図７において、通信部電池残量監視装置1が電池残量監視対象装置２１又は６１に広域通信網７８を介して充電を指示することで、電池残量監視対象装置２１又は６１に設けられた図示しない充電制御部により電池残量監視対象装置２１又は６１が充電を開始すると、ＡＣ充電器７１の制御部７３が差込口部７６に電流が流れたことを感知するか又はテーブルタップ器具８１の制御部８３が差込口８６に電流が流れたことを感知することで、ＡＣ充電器７１又はテーブルタップ器具８１が広域通信網７８を介して、電池残量監視装置１に上記電流の流れたことを通知し、接続態様情報１８が更新される構成にしても良い。
【００７６】
図８を参照し、発明を実施するための形態４に係る電池残量監視システムの処理について電池残量監視対象装置２１と充電機器６０との広域通信による場合を例として説明する。充電機器６０は、図７に示したＡＣ充電器７１及びテーブルタップ器具８１の総称である。充電機器６０と図７に示した電池残量監視対象装置２１との間では充電が開始されている。そして、図８のＡ図において、電池残量監視装置１の処理が始まると、ステップ６０１において、電池残量監視装置１が監視対象機器情報６に対応する電池残量監視対象装置（図７の２１、６１に相当）が差込口（図７の７６、８５及び８６に相当）に接続された充電機器６０と広域通信で通信可能に接続にされ、ステップ６０２に進む。ステップ６０２では、電池残量監視装置１が充電機器６０から監視対象機器情報６に対応する電池残量監視対象装置（図７の２１、６１に相当）の検出電池残量を広域通信で受信し、ステップ６０３に進む。
【００７７】
ステップ６０３では、受信した電池残量監視対象装置（図７の２１、６１に相当）の検出電池残量が充電停止値１９以上であるかを判断し、検出電池残量が充電停止値１９未満である場合は充電を停止する必要がなくステップ６０３がＮＯになりステップ６０２に戻り、の検出電池残量が充電停止値１９以上である場合は充電を停止する必要がありステップ６０３がＹＥＳになりステップ６０４に進む。ステップ６０４では、電池残量監視装置１がオフ指令を広域通信で監視対象機器情報６に対応する電池残量監視対象装置（図７の２１、６１に相当）が差込口（図７の７６、８５及び８６に相当）に接続された充電機器６０に送信し、ステップ６０５に進む。ステップ６０５では、電池残量監視装置１が監視対象機器情報６に対応する電池残量監視対象装置（図７の２１、６１に相当）が差込口（図７の７６、８５及び８６に相当）に接続された充電機器６０に対する広域通信の接続を停止して処理を終わる。
【００７８】
図８のＢ図において、充電機器６０の処理について説明する。充電機器６０の処理が始まると、ステップ７０１において、充電機器６０が電池残量監視装置１と広域通信による通信中であるかが判断され、通信中でない場合はステップ７０１がＮＯになり処理を終わり、通信中である場合はステップ７０１がＹＥＳになりステップ７０２に進む。ステップ７０２では、充電機器６０の差込口に接続されている電池残量監視対象装置（図７の２１、６１に相当）の検出電池残量を広域通信で電池残量監視装置１に送信し、ステップ７０３に進む。
【００７９】
ステップ７０３では、オフ指令が入力されたが判断され、オフ指令が入力されていない場合はステップ７０３がＮＯになりステップ７０２に戻り、オフ指令が入力された場合はステップ７０３がＹＥＳになりステップ７０４に進む。ステップ７０４では、充電機器６０が接続態様情報１８に対応する電池残量監視対象装置（図７の２１、６１に相当）への充電回路を遮断し、ステップ７０５に進む。ステップ７０５では、充電機器６０が電池残量監視装置１に対する広域通信の接続を停止して処理を終わる。
【００８０】
図９を参照し、発明を実施するための形態５に係る電池残量監視システムの構成について説明する。図９において、電池残量監視システムは、電池残量監視装置１と電池残量監視対象装置２１とＷｉＦｉ（登録商標）ルータ機器９１とを備える。
【００８１】
電池残量監視装置１の残量管理部１５が、ＷｉＦｉルータ機器９１のＳＳＩＤを受信することにより、充電可能な場所を管理し、電池残量監視装置１がＷｉＦｉルータ機器９１の設置された場所が充電可能な場所であるかを表示する構成である。
【００８２】
電池残量監視対象装置２１は、１個を図示したが、複数個でも適用可能である。
【００８３】
ＷｉＦｉルータ機器９１の近距離通信部９２は、機器毎にユニークな識別ＩＤとしてのＳＳＩＤ（Service Set Identifier の略号である）を報知している。近距離通信部９２から報知されたＳＳＩＤを、近距離通信部２が受信することで、ＷｉＦｉルータ機器９１の設置された場所が充電可能な場所であるかを知ることができる。
【００８４】
又、ＷｉＦｉルータ機器９１の設置された場所が充電サービスを提供しているか否により充電可能な場所あるか否かをインターネット網のサーバ又は電池残量監視装置１の記憶部５にあらかじめ記憶しておく。つまり、サーバ又は電池残量監視装置１の記憶部５には、各場所に設置されているＷｉＦｉルータ機器９１のＳＳＩＤ、場所名、住所、電話番号、充電サービスの提供条件（無料、有料、商品購入時の一定時間サービス等）の充電可能場所情報をデータベースとして記憶しておく。
【００８５】
そして、制御部１１が電池部３から供給された電力で動作した状態において、電池残量監視装置１の近距離通信部２がＷｉＦｉルータ機器９１の近距離通信部９２からのＳＳＩＤを受信することにより、受信したＳＳＩＤと充電可能場所情報とによりＷｉＦｉルータ機器９１の設置された場所が充電可能な場所であるか否かを電池残量監視装置１の残量管理部１５が判断する。
【００８６】
具体的には、残量管理部１５は、ＷｉＦｉルータ機器９１から受信したＳＳＩＤと充電可能場所情報のＳＳＩＤとを比較し、一致するＳＳＩＤを特定するなどの方法で充電可能な場所あるか否かを判断する。そして、残量管理部１５がＷｉＦｉルータ機器９１のＳＳＩＤを受信した場所が充電可能な場所あると判断した場合は、残量管理部１５が表示部４に表示指令を出力し、この表示指令に基づき充電可能場所情報が表示部４に表示され、この表示部４を可視した人が自分のいる場所が充電可能場所であることを知ることができ、電池残量監視装置１及び電池残量監視対象装置２１の一方又は両方に充電を行うことができる。
【００８７】
図１０を参照し、発明を実施するための形態５に係る電池残量監視システムの処理について説明する。図１０において、電池残量監視装置１の処理が始まると、ステップ１００１において、図９のＷｉＦｉルータ機器９１からのＳＳＩＤを受信したかが判断され、ＳＳＩＤを受信しない場合はステップ１００１がＮＯになり処理を終わり、ＳＳＩＤを受信した場合はステップ１００１がＹＥＳになりステップ１００２に進む。
【００８８】
ステップ１００２では、ＳＳＩＤを受信したＷｉＦｉルータ機器９１の設置された場所がサーバ又は記憶部５の充電可能場所情報から充電可能な場所であるかを判断し、ＳＳＩＤを受信したＷｉＦｉルータ機器９１の設置された場所が充電可能な場所でない場合はステップ１００２がＮＯになり処理を終わり、ＳＳＩＤを受信したＷｉＦｉルータ機器９１の設置された場所が充電可能な場所である場合はステップ１００２がＹＥＳになりステップ１００３に進む。ステップ１０３では残量管理部１５による表示処理が行われ、当該ＳＳＩＤに対応する充電可能場所情報が表示部４に表示される。
【００８９】
図１、図３、図５、図７、図９における表示部４での表示態様は、百分率表示、高・中・低等の段階表示、残り駆動時間表示等が適用可能である。
【符号の説明】
【００９０】
１は電池残量監視装置、２は近距離通信部、３は電池部、４は表示部、５は記憶部、６は監視対象機器情報、７は第１閾値、８は第２閾値、９は総量閾値、１０は定期検出情報、１１は制御部、１２は検出指令部、１３は表示指令部、１４は残量検出部、１５は残量管理部、１６は充電検出部、１７は無線通信部、１８は接続態様情報、１９は充電停止値、２０は欠番、２１は電池残量監視対象装置、２２は近距離通信部、２３は電池部、２４は記憶部、２５は監視機器情報、２６は定期検出情報、２７は制御部、２８は残量検出部、２９乃至４０は欠番、４１は別の電池残量監視対象装置、４２は近距離通信部、４３は電池部、４４は記憶部、４５は監視機器情報、４６は制御部、４７は充電検出部、４８は給電機器、４９及び５０は欠番、５１は給電機器、５２はＡＣアダプタ、５３はパソコン、５４はモバイルバッテリ機器、５５は車載コンセント、５６乃至６０は欠番、６１は電池残量監視対象装置、６２は欠番、６３は電池部、６４乃至６７は欠番、６８は残量検出部、７０は欠番、７１はＡＣ充電器、７２は通信部、７３は制御部、７４はスイッチ部、７５は電源接続部、７６は差込口部、７７は商用電源部、７８は広域通信網、８１はテーブルタップ器具、８２は通信部、８３は制御部、８４は電源接続部、８５及び８６は差込口部、８７及び８８はスイッチ部、８９は商用電源部、９０は欠番、９１はＷｉＦｉルータ機器、９２は近距離通信部。
【図１】
0006045518.tif 000002
【図２】
0006045518.tif 000003
【図３】
0006045518.tif 000004
【図４】
0006045518.tif 000005
【図５】
0006045518.tif 000006
【図６】
0006045518.tif 000007
【図７】
0006045518.tif 000008
【図８】
0006045518.tif 000009
【図９】
0006045518.tif 000010
【図１０】
0006045518.tif 000011